(57)【要約】【課題】電気スタンドの台板等の孔部周縁にソケットを支持固定するに当たり、該孔部周縁の孔部の下面部に、ソケットの下方に位置する金属板を当接するようにし、金属板の上方部に位置するプラスチック製板ばねを、前記孔部周縁の上面部に弾力で当接して、孔部周縁にソケットを確実に支持固定するように照明器具用ソケットの支持装置を提供することを目的としたものである。【解決手段】ソケット１の下部中央孔に、コード３を挿通したニップル４を取り付け、弾力性を有するプラスチック製板ばね７を、ゴム製環状押え９の溝１０内に嵌挿して、該ゴム製環状押え９を、前記コード３及びニップル４に下方より嵌挿して、ソケット１の底面部１３に当接し、金属板１４と、その下方に位置させたナット１６を、コード３及びニップル４の下方より嵌挿すると共に、ニップル４にナット１６を螺着し、又、ソケット１とゴム製環状押え９の間に、ナット１８とパッキング２０を、コード３及びニップル４の下方より嵌挿し位置させてなるものである。【選択図】図３
0003106196.tif 000002
【実用新案登録請求の範囲】
【請求項１】
ソケットの下部中央孔の雌ねじに、該ソケットに連結したコードを挿通したニップルの外周の雄ねじを螺挿し、ソケットの側面に螺挿した小ねじの先端を前記雄ねじに押し付けて、ソケットにニップルを固定し、弾力性を有するプラスチック製板ばねに設けた中央孔を、ゴム製環状押えの溝内に嵌挿し、該ゴム製環状押えに設けた中央孔を、コード及びニップルの下方より嵌挿して、ゴム製環状押えの上面部をソケットの底面部に当接し、金属板に設けた中央孔をコード及びニップルの下方より嵌挿し、ナットをコード及びニップルの下方より嵌挿して、該ニップルの雄ねじに、ナットの雌ねじを螺着したことを特徴とする照明器具用ソケットの支持装置。
【請求項２】
ソケットの底面部と、ゴム製環状押えの上面部との間において、コード及びニップルに下方よりナットの雌ねじを螺挿し、かつ、該ナットの下部に位置するようにコード及びニップルに下方よりパッキングの中央孔を嵌挿したことを特徴とする実用新案登録請求の範囲第１項記載の照明器具用ソケットの支持装置。
【考案の詳細な説明】
【技術分野】
【０００１】本考案は、照明器具用ソケットの支持装置の改良に関するものである。
【背景技術】
【０００２】  従来、照明器具用ソケットの支持装置で、主として電気スタンド用ソケット支持装置において、ソケットａ上方の首部ｂを胴部ｃより太径とし、ソケットａに連結したコードｄ及び該胴部ｃに、下方より弾力性を有するプラスチック製板ばねｅの中央孔ｆを嵌挿し、溝ｇを設けたゴム製環状押えｈの中央孔ｉを、前記コードｄ及び胴部ｃの下方より嵌挿して前記プラスチック製板ばねｅをソケットａの首部ｂに押圧して固定したものがあるが、該ソケットａを、例えば電気スタンドの台板ｊの孔部ｋに取り付ける場合には、ソケットａのコードｄと共に、該台板ｊの孔部ｋに台板ｊの下方より引き上げていけば、孔部ｋ内にプラスチック製板ばねｅの両端部の上面部ｌが接触しながら、その弾力に抗して除々に下方よりすぼめらてていき、遂には両端部の上面部ｌが台板ｊの孔部ｋの内面ｍに強く押圧され、よって、ソケットａは台板ｊの孔部ｋに固定支持される。
【考案の開示】
【考案が解決しようとする課題】
【０００３】  しかしながら、単にプラスチック製板ばねｅの弾力によって、その両端部が上方に上ろうとする弾力のみで、該両端部の上面部ｌでソケットａを台板ｊの孔部ｋに固定支持するので、ソケットａ上部に螺挿した電球ｎに、手等が当たってソケットａが上がったり、或いはコードｄが何らかの力で下方に移動されると、該ソケットａが台板ｊの孔部ｋから容易に抜け出る欠点があった。
【課題を解決するための手段】
【０００４】  前記欠点をなくするために、この考案の請求項１記載の照明器具用ソケットの支持装置は、ソケットの下部中央孔の雌ねじに、該ソケットに連結したコードを挿通したのニップルの外周の雄ねじを螺挿し、ソケットの側面に螺挿した小ねじの先端を前記雄ねじに押し付けて、ソケットにニップルを固定し、弾力性を有するプラスチック製板ばねに設けた中央孔を、ゴム製環状押えの溝内に嵌挿し、該ゴム製環状押えに設けた中央孔を、コード及びニップルの下方より嵌挿して、ゴム製環状押えの上面部をソケットの底面部に当接し、金属板に設けた中央孔をコード及びニップルの下方より嵌挿し、ナットをコード及びニップルの下方より嵌挿して、該ニップルの雄ねじに、ナットの雌ねじを螺着した照明器具用ソケットの支持装置であって、ソケット下方部の金属板を、電気スタンドの台板等の孔部周縁の下面部に当接し、その上方部に位置する弾力性を有するプラスチック製板ばねを孔部周縁の上面部に、その弾力によって当接し、前記孔部周縁の上下部を挟持することによって、ソケットを孔部周縁に支持固定したものであることを特徴とする。
請求項２記載の照明器具用ソケットの支持装置は、ソケットの底面部と、ゴム製環状押えの上面部との間に、ナットとパッキングを位置させたことにより、プラスチック製板ばねを、ソケットに支持固定したことを特徴とする。
【考案の効果】
【０００５】    請求項１記載の照明器具用ソケットの支持装置は、ソケットの下方に位置させた金属板を、電気スタンドの台板等の孔部周縁の下面部に当接し、その上方部に位置する弾力性を有するプラスチック製板ばねを孔部周縁の上面部に、その弾力によって当接し、前記孔部周縁の上下部を挟持することによって、ソケットを孔部周縁に確実に支持固定し、ソケットに螺挿した電球に、手等が当たっても、ソケットが上下動することなく、或いはコードが何らかの力で上下に動いても、ソケットが上下動することなく、ソケットが電気スタンドの台板等に確実に支持固定される効果がある。【０００６】  請求項２記載の照明器具用ソケットの支持装置は、コードの底面部と、ゴム製環状押えの上面部との間に、ナットとパッキングを位置させたことにより、プラスチック製板ばねを保持しているゴム製環状押えを強く押圧し、よって前記プラスチック製板ばねを一層強固に支持固定し、プラスチック製板ばねが、台板の孔部周縁の上面を、左右に滑動しないようにした効果がある。
【発明を実施実施するための最良の形態】
【実施例１】
【０００７】  以下、この考案の好適な実施形態を図面を用いて詳細に説明する。
先ず、請求項１記載の照明器具用ソケットの支持装置において説明すれば、次の通りであって、図３から図９に示す通りこの考案に係わる照明器具用ソケット支持装置を示している。
ソケット１の下部中央孔の雌ねじ２に、該ソケットｉに連結したコード３挿通したニップル４の外周の雄ねじ５を螺挿し、ソケット１の側面に螺挿した小ねじ６の先端を前記雄ねじ５に押し付けて、ソケット１にニップル４を固定し、弾力性を有するプラスチック製板ばね７に設けた中央孔８を、ゴム製環状押え９の溝１０内に嵌挿する。この場合、前記ゴム製環状押え９の上方部分、又は下方部分の溝１０の径より大きい径を有する部分を潰してプラスチック製板ばね７の中央孔８を、ゴム製環状押え９の溝１０内に嵌挿して、プラスチック製板ばね７をゴム製環状押え９に取り付ける。続いてゴム製環状押え９の中央孔１１を、コード３及びニップル４下方より嵌挿して、ゴム製環状押え９の上面部１２をソケット１の底面部１３に当接し、金属板１４に設けた中央孔１５をコード３及びニップル１４の下方より嵌挿し、ナット１６をコード３及びニップル４の下方より嵌挿して、該ニップル４の雄ねじ５に、ナット１６の雌ねじ１７を螺着してなるものである。【０００８】    本考案を主として電気スタンドの台板２２の孔部２３等にソケット１を固定支持する場合には、図１０に示すように弾力性を有するプラスチック製板ばね７の両端部を、弾力に抗して上方に屈曲しながら、前記台板２２の孔部２３等の下方より該孔部２３等内に下方より上方にくぐらせれば、ソケット１の底面部１３より上方部は台板２２の上方に突出する。次に金属板１４の上面部を孔部２３等の下面部に当接する。その時、前記プラスチック製板ばね７の両端部より手を離せば該プラスチック製板ばね７の弾力によって、その両端部は下方に下がり水平状態に復帰しようとする力が働き、したがって、両端部の下面部７ａは、台板２２の孔部２３等の周縁部２３ａに強く当接し、よって、ソケット１は、該プラスチック製板ばね７の下面部７ａと、下方に位置する金属板１４により挟持され、ソケット１は確実に台板２２の孔部２３等の周縁部２３ａに支持固定される。尚、電球２４はソケット１に螺挿したまま台板２２に取り付けてもよいし、ソケット１を台板２２に取り付けた後に、ソケット１に螺挿して取り付けてもよい。【０００９】  又、図１４は本考案の請求項１の使用状態の各例を示す斜視図であって、図１４の（ａ）においては、電球笠２５の支持杆２６の中央輪部２７を台板２２の孔部２３の上に重ね、プラスチック製板ばね７の両端部を上方に屈曲した状態で、台板２２の孔部２３に対し、電球２４、ソケット１を下方より上方にもぐらせ、金属板１４の上面部を台板２２の孔部２３の下面部に当接し、プラスチック製板ばね７の両端部より手を離せば該プラスチック製板ばね７の下方に向かう弾力で、前記中央輪部２７は台板２２の孔部２３の周縁部２３ａに押し付けられ、台板２２に電球笠２５は取り付けられる。次に図１４の（ｂ）においては、台板２２に相当する台枠２８の中央輪部２９に、前記同様にソケット１を取り付ける。３０は前記台枠２８に取り付ける電球笠を示す。３１は電球笠３２の側方に設けた孔部であって、該孔部３１に前記前記同様にソケット１を取り付けるものである。
【実施例２】
【００１０】    請求項２記載の照明器具用ソケットの支持装置は、ソケット１の底面部１３と、プラスチック製板ばね７を保持しているゴム製環状押え９の上面部１２との間において、コード３及びニップル４に下方よりナット１８の雄ねじ１９を螺挿し、かつ、該ナット１８の下部に位置するようにコード３及びニップル４に下方よりパッキング２０の中央孔２１を嵌挿してなるものであるから、プラスチック製板ばね７が台板２２の孔部２３の周縁部２３ａの上面を左右に滑動しようとするのを、より一層、防止したものである。
【図面の簡単な説明】
【００１１】
【図１】従来の照明器具用ソケットの支持装置の正面図である。
【図２】同電気スタンドの台板の孔部に、ソケットを支持固定した場合の使用状態を示す正面図である。
【図３】本考案の請求項１を表す一部縦断正面図で、ソケットに電球を螺挿した場合を示したものである。
【図４】同平面図である。
【図５】同要部を示す一部正面図である。
【図６】ゴム製環状押えの斜視図である。
【図７】プラスチック製板ばねの平面図である。
【図８】金属板の平面図である。
【図９】ナットの斜視図である。
【図１０】本考案の使用状態を示すもので、電気スタンドの台板の孔部周縁部にソケットを支持固定した場合を示す正面図である。
【図１１】本考案の請求項２を表す一部縦断正面図である。
【図１２】ナットの斜視図である。
【図１３】パッキングの斜視図である。
【図１４】本考案の請求項１の使用状態の各例を略図をもって示す斜視図である。
【符号の説明】
【００１２】    １  ソケット
２  雌ねじ
３  コード
４  ニップル
５  雄ねじ
６  小ねじ
７  プラスチック製板ばね
８  中央孔
９  ゴム製環状押え
１０溝
１１中央孔
１２上面部
１３ソケットの底面部
１４金属板
１５中央孔
１６ナット
１７ナットのン雌ねじ
１８ナット
１９雌ねじ
２０パッキング
２１中央孔
【図１】
0003106196.tif 000003
【図２】
0003106196.tif 000004
【図３】
0003106196.tif 000005
【図４】
0003106196.tif 000006
【図５】
0003106196.tif 000007
【図６】
0003106196.tif 000008
【図７】
0003106196.tif 000009
【図８】
0003106196.tif 000010
【図９】
0003106196.tif 000011
【図１０】
0003106196.tif 000012
【図１１】
0003106196.tif 000013
【図１２】
0003106196.tif 000014
【図１３】
0003106196.tif 000015
【図１４】
0003106196.tif 000016